(57)【要約】【課題】シールのリップの摩耗を抑えつつ、外輪の内周部からのグリースの漏れを防止する自動調心ころ軸受を提供することにある。【解決手段】外輪２の球面軌道５と内輪３の複列の軌道１０、１０のそれぞれとの間に複列の球面ころ４が組み込まれ、列ごとの球面ころ４を二つの保持器１３、１３で保持し、第一シール６が外輪２の内周部の軸方向両端部に保持され、保持器１３の外側環状部１５の外周部に第一シール６のリップ部２０が摺接する。第二シール７が保持器１３の外側環状部１５の軸方向外端部に保持され、内輪３の外周部のつば１１の軸方向外端部に第二シール７のリップ部２３が摺接する。【選択図】図１
2019184019.tif 000002
【特許請求の範囲】
【請求項１】
球面軌道（５）を内周に有する外輪（２）と、複列の軌道（１０）を外周に有する内輪（３）と、前記外輪（２）の球面軌道（５）と前記内輪（３）の複列の軌道（１０）のそれぞれとの間に組み込まれた複列の球面ころ（４）と、列ごとの前記球面ころ（４）を保持する二つの保持器（１３）と、前記外輪（２）の内周部と前記保持器（１３）との間の軸方向両側を塞ぐ環状の第一シール（６）と、前記保持器（１３）と前記内輪（３）の外周部との間の軸方向両側を塞ぐ環状の第二シール（７）とを備え、
それぞれの前記保持器（１３）が軸方向内側に位置する内側環状部（１４）と、軸方向外側に位置する外側環状部（１５）と、前記内側環状部（１４）と外側環状部（１５）との間に配置される複数の柱部（１６）とを有し、
前記第一シール（６）は、前記外輪（２）の内周部の軸方向両端部に保持され、前記保持器（１３）の外側環状部（１５）の外周部に摺接するリップ部（２０）を有し、
前記第二シール（７）は、前記保持器（１３）の外側環状部（１５）の内周部または前記内輪（３）の外周部の軸方向両側のうちの一方に保持され、前記保持器（１３）の外側環状部（１５）の内周部または前記内輪（３）の外周部の軸方向両側のうちの他方に摺接するリップ部（２３）を有する自動調心ころ軸受。
【請求項２】
前記内輪（３）の外周部が軸方向両側に形成されるつば（１１）を有し、前記保持器（１３）の外側環状部（１５）が径方向内向きに延び出すように形成され、前記外側環状部（１５）の内周部が前記つば（１１）に対して径方向に対向する状態となっており、
それぞれの前記保持器（１３）の外側環状部（１５）の内周部の軸方向外端部に、前記第二シール（７）を保持する第二シール装着部（１７）を有し、前記つば（１１）の軸方向外端部に前記第二シール（７）のリップ部（２３）が摺動する第二シール溝部（１２）を有する請求項１に記載された自動調心ころ軸受。
【請求項３】
前記内輪（３）の外周部が軸方向両側に形成されるつば（１１）を有し、前記保持器（１３）の外側環状部（１５）が径方向内向きに延び出すように形成され、前記外側環状部（１５）の内周部が前記つば（１１）に対して径方向に対向する状態となっており、
それぞれの前記保持器（１３）の外側環状部（１５）の内周部の軸方向外端部に、前記第二シール（７）のリップ部（２３）が摺動する第二シール溝部（２５）を有し、前記つば（１１）の軸方向外端部に前記第二シール（７）を保持する第二シール装着部（２４）を有する請求項１に記載された自動調心ころ軸受。
【請求項４】
前記保持器（１３）の外側環状部（１５）の外周部が軸方向外側に向かって径方向内向きに傾斜するテーパ状となっている請求項１から３のいずれかに記載された自動調心ころ軸受。
【請求項５】
前記保持器（１３）の外側環状部（１５）は、その外周部が軸受中心を中心とした曲率半径を有し、径方向外向きに突出する断面円弧状となっている請求項１から３のいずれかに記載された自動調心ころ軸受。
【発明の詳細な説明】
【技術分野】
【０００１】
本発明は、各種産業機械装置の回転支持部に組み込まれる自動調心ころ軸受に関する。
【背景技術】
【０００２】
一般に、建設機械、鉄鋼設備、風力発電機等の各種産業機械装置の回転軸支持部には、大きな荷重が掛かる。このため、ラジアル荷重、両方向のアキシアル荷重およびこれらの合成荷重を負荷する能力が高く、振動、衝撃荷重を受けることができるころ軸受として自動調心ころ軸受が多く使用されている。
【０００３】
この自動調心ころ軸受としては、例えば、二列一対の球面軌道を有する内輪と、球面軌道を有する外輪と、外輪の球面軌道と内輪の両球面軌道との間に介在する複列の球面ころと、各列における球面ころをそれぞれ周方向に等配する一対のかご形保持器とを備えたものが知られている。
【０００４】
このような自動調心ころ軸受において、連続鋳造装置のピンチロール、鋳片ガイドロールなどのように、劣悪な条件、例えば、高温、水被り、水蒸気雰囲気中、異物の多い場所などでは、外輪の内周部の両端部にシールを備えたものが推奨されている。
【０００５】
シールは、環状の芯金と芯金に一体に固着される合成ゴム製の弾性体とを有し、その弾性体の内周部にリップが形成されたものである。シールは、外輪の内周部に圧入嵌合することにより取り付けられ、リップが内輪の外周部の端部に摺接するようになっている。
【０００６】
シールを備えた自動調心ころ軸受は、通常、回転輪である内輪の外周面にシールのリップが摺接する状態となっている。このため、静止輪である外輪に対する内輪の回転数が大きくなることでリップの摩耗が進行し、軸受寿命が低下するという問題がある。
【０００７】
そこで、リップの摩耗を低減することを目的とする自動調心ころ軸受が提案されている（特許文献１参照）。特許文献１に記載の自動調心ころ軸受は、図５、図６に示すように、外輪３０の球面軌道３１と、内輪３２の二列一対の球面軌道３３との間に複列の球面ころ３４を介在し、各列における球面ころ３４を一対のかご形保持器３５、３５で周方向に等間隔に保持し、それぞれのかご形保持器３５の軸方向外側の環状部３６にシール４０を固定したものである。
【０００８】
シール４０は、環状の芯金４１と、芯金４１に一体に固着されたエラストマからなる弾性体４２とを有しており、弾性体４２の外周部分に外リップ４３が形成され、弾性体の４２の内周部分に内リップ４４が形成されている。
【０００９】
芯金４１はかご形保持器３５の環状部３６にねじ４５により固定される。外リップ４３が外輪３０の内周部の軸方向外側に摺接し、内リップ４４が内輪３２の外周部の軸方向外側に摺接している。そして、外輪３０と内輪３２との間に形成される環状の軸受空間内にグリースが封入されている。
【００１０】
内輪３２が回転し、外輪３０が静止する場合、各列の複数の球面ころ３４の公転速度、すなわち、かご形保持器３５の回転速度は、内輪３２の回転速度よりも小さくなる。このため、かご形保持器３５の環状部３６に固定されたシール４０は、内輪３２よりも小さい回転速度で回転する。
【００１１】
このように回転するシール４０では、外輪３０の内周部と摺接する外リップ４３、および内輪３２の外周部と摺接する内リップ４４は、その摩耗の進行が抑えられ、軸受寿命の低下を防止することができる。
【先行技術文献】
【特許文献】
【００１２】
【特許文献１】ＤＥ１０２０１２２０７７４５Ａ１
【発明の概要】
【発明が解決しようとする課題】
【００１３】
ところで、特許文献１に記載の自動調心ころ軸受は、外輪３０と内輪３２との間に形成される環状の軸受空間内にグリースが封入されている。軸受空間内のグリースは、内輪３２の回転に伴い、遠心力によって外輪３０の内周部に飛ばされることがある。
【００１４】
シール４０は外輪３０の内周部と摺接する外リップ４３を有していることから、外輪３０の内周部に飛ばされたグリースは、外リップ４３と外輪３０の内周部との間から漏れるおそれがあった。
【００１５】
そこで、この発明が解決すべき課題としては、シールのリップの摩耗を抑えつつ、外輪の内周部からのグリースの漏れを防止する自動調心ころ軸受を提供することにある。
【課題を解決するための手段】
【００１６】
上記の課題を解決するために、この発明は、球面軌道を内周に有する外輪と、複列の軌道を外周に有する内輪と、前記外輪の球面軌道と前記内輪の複列の軌道のそれぞれとの間に組み込まれた複列の球面ころと、列ごとの前記球面ころを保持する二つの保持器と、前記外輪の内周部と前記保持器との間の軸方向両側を塞ぐ環状の第一シールと、前記保持器と前記内輪の外周部との間の軸方向両側を塞ぐ環状の第二シールとを備え、それぞれの前記保持器が軸方向内側に位置する内側環状部と、軸方向外側に位置する外側環状部と、前記内側環状部と外側環状部との間に配置される複数の柱部とを有し、前記第一シールは、前記外輪の内周部の軸方向両端部に保持され、前記保持器の外側環状部の外周部に摺接するリップ部を有し、前記第二シールは、前記保持器の外側環状部の内周部または前記内輪の外周部の軸方向両側のうちの一方に保持され、前記保持器の外側環状部の内周部または前記内輪の外周部の軸方向両側のうちの他方に摺接するリップ部を有する構成を採用することができる。
【００１７】
この構成では、内輪が回転し、外輪が静止している場合、それぞれの保持器は、内輪の回転速度よりも小さい回転速度で内輪と同方向へ回転する。第一シールは、外輪の内周部の軸方向両端部に保持され、保持器の外側環状部の外周部にリップ部が摺接するものである。このため、第一シールのリップ部は、内輪の回転速度よりも小さい回転速度で回転する保持器の外側環状部の外周部に摺接する。
【００１８】
また、内輪は、保持器に対して、内輪の回転速度と保持器の回転速度との回転速度差で相対回転する。第二シールは、前記一方に保持され、前記他方にリップ部が摺接するものである。このため、第二シールが内輪の回転速度と保持器の回転速度との回転速度差で回転し、そのリップ部が前記他方に摺接する。
【００１９】
さらに、内輪の外周部と外輪の内周部との間に形成される軸受空間内に封入されるグリースが、内輪の回転に伴い、遠心力によって外輪の内周部に飛ばされることがある。第一シールは、外輪の内周部の軸方向両端部で保持されているので、外輪の内周部に飛ばされるグリースの外部への漏出が防止される。
【００２０】
前記内輪の外周部が軸方向両側に形成されるつばを有し、前記保持器の外側環状部が径方向内向きに延び出すように形成され、前記外側環状部の内周部が前記つばに対して径方向に対向する状態となっており、それぞれの前記保持器の外側環状部の内周部の軸方向外端部に、前記第二シールを保持する第二シール装着部を有し、前記つばの軸方向外端部に前記第二シールのリップ部が摺動する第二シール溝部を有する構成を採用することができる。
【００２１】
また、前記内輪の外周部が軸方向両側に形成されるつばを有し、前記保持器の外側環状部が径方向内向きに延び出すように形成され、前記外側環状部の内周部が前記つばに対して径方向に対向する状態となっており、それぞれの前記保持器の外側環状部の内周部の軸方向外端部に、前記第二シールのリップ部が摺動する第二シール溝部を有し、前記つばの軸方向外端部に前記第二シールを保持する第二シール装着部を有する構成を採用することができる。
【００２２】
上記構成によると、保持器が内輪案内され、内輪の外周部のつばと保持器の外側環状部とを利用して、第二シールにより保持器と内輪の外周部との間の軸方向両側を塞ぐことができる。
【００２３】
上記構成において、前記保持器の外側環状部の外周部が軸方向外側に向かって径方向内向きに傾斜するテーパ状となっている構成や、前記保持器の外側環状部は、その外周部が軸受中心を中心とした曲率半径を有し、径方向外向きに突出する断面円弧状となっている構成を採用することができる。
【発明の効果】
【００２４】
この発明は、第一シールのリップ部は、内輪の回転速度よりも小さい回転速度で回転する保持器の外側環状部の外周部に摺接するので、シールが外輪の内周部と内輪の外周部との間に保持される場合と比較して、第一シールのリップ部の摩耗を抑制することができる。
【００２５】
また、第二シールが内輪の回転速度と保持器の回転速度との回転速度差で回転し、そのリップが前記他方に摺接する。これにより、シールが外輪の内周部と内輪の外周部との間に保持される場合と比較して、第二シールのリップ部の摩耗を抑制することができる。
【００２６】
さらに、第一シールは、外輪の内周部の軸方向両端部で保持されているので、遠心力により外輪の内周部に飛ばされるグリースの外部への漏出が防止される。
【図面の簡単な説明】
【００２７】
【図１】この発明に係る第一の実施形態の自動調心ころ軸受の縦断面図
【図２】同上の自動調心ころ軸受の要部の縦断面図
【図３】第一の実施形態の変更例の自動調心ころ軸受の要部の縦断面図
【図４】第二の実施形態の自動調心ころ軸受の要部の縦断面図
【図５】従来の自動調心ころ軸受の縦断面図
【図６】同上の自動調心ころ軸受の要部の縦断面図
【発明を実施するための形態】
【００２８】
以下、この発明の第一の実施形態に係る自動調心ころ軸受を図１〜３に基づいて説明する。この実施形態に係る自動調心ころ軸受１は、図１に示すように、外輪２と、外輪２の内側に配置される内輪３と、外輪２と内輪３との間に組み込まれた球面ころ４と、その球面ころ４を保持する二つの保持器１３、１３とを備えている。
【００２９】
また、自動調心ころ軸受１は、外輪２の内周部と保持器１３との間の軸方向両側を塞ぐ第一シール６と、保持器１３と内輪３の外周部との間の軸方向両側を塞ぐ第二シール７とを備え、外輪２と内輪３との間に形成される軸受空間内にグリースが封入されている。
【００３０】
ここで、「周方向」とは、特に言及しない限り、軸受中心軸周りの円周方向のことをいう。また、特に言及しない限り、軸受中心軸に沿った方向のことを単に「軸方向」といい、その中心軸に対し直角な方向のことを単に「径方向」という。
【００３１】
外輪２は、一体の環状部品からなる。外輪２は、内周部に形成される球面軌道５と、球面軌道５の軸方向両端部に形成される第一シール装着部８を有する。第一シール装着部８は、径方向外向きに全周にわたって形成される溝状をなしている。
【００３２】
外輪２は、外周部表面からその球面軌道５に貫通する給油孔９が形成されている。給油孔９は、外輪２の軸方向中央において、周方向に複数箇所設けられている。
【００３３】
内輪３は、二つである複列の軌道１０、１０を外周部に有する複列軌道輪である。内輪３の外周部が、軸方向両側に形成されるつば１１と、つば１１の軸方向外端部に形成される第二シール溝部１２とを有する。
【００３４】
第二シール溝部１２は、つば１１の外周部から径方向内向きに凹む段差状に形成されており、その外周面が円筒面である。
【００３５】
軌道１０、１０のそれぞれと外輪２の球面軌道５との間に、周方向に等間隔に並ぶ複数の球面ころ４が複列に組み込まれ、列ごとの複数の球面ころ４が保持器１３、１３で転動可能に保持されている。
【００３６】
球面ころ４は、球面ころ４の中心軸を含む平面において、外輪２の球面軌道５と点接触する母線形状の転動面を有する。
【００３７】
それぞれの保持器１３は、軸方向の内側に位置する内側環状部１４と、軸方向外側に位置する外側環状部１５と、内側環状部１４と外側環状部１５との対向部分の間に配置される複数の柱部１６とを有するかご形保持器である。
【００３８】
それぞれの保持器１３は、内側環状部１４、外側環状部１５および隣り合う柱部１６、１６により形成される複数のポケットを有する。それぞれのポケットは一つの球面ころ４が収容されている。
【００３９】
それぞれの保持器１３の内側環状部１４は、軸方向に相互に対向しており、その軸方向外側面が球面ころ４の軸方向内端面に平行に形成される。内側環状部１４の軸方向外側面により球面ころ４の軸方向内端面が案内される。
【００４０】
外側環状部１５は、軸方向内側面が球面ころ４の軸方向外端面に平行に形成されるものである。外側環状部１５は、柱部１６に対して径方向内向きに延び出している。外側環状部１５の内周部が内輪３のつば１１と径方向に対向している。
【００４１】
外側環状部１５の内周部は、その軸方向外端部に形成される第二シール装着部１７を有する。第二シール装着部１７は、外側環状部１５の内周部から径方向外向きに凹む段差状に形成されている。第二シール装着部１７は、その外周面が円筒面であり、内輪３の第二シール溝部１２と径方向に対向している。
【００４２】
外側環状部１５の外周部は、軸方向外側に向かって径方向内向きに傾斜するテーパ状をなし、その径方向外側の表面１５ａが円すい面となっている。
【００４３】
図２に示すように、第一シール６は、金属板製の環状の芯金１８と、芯金１８に一体に固着される弾性体１９とを有する。弾性体１９は、芯金１８の径方向中間部の内側面を除き芯金１８の全体を覆うように設けられる。
【００４４】
第一シール６は、弾性体１９の内周部分にリップ部２０が形成され、弾性体１９の外周部分が、外輪２の軸方向両側の第一シール装着部８に圧入固定される。この圧入固定により、第一シール６は、第一シール装着部８にそれぞれ保持され、リップ部２０が保持器１３の外側環状部１５の径方向外側の表面１５ａに摺接する状態となる。
【００４５】
第一シール装着部８に保持される第一シール６は、外輪２と保持器１３の外側環状部１５との間の軸方向両側を塞ぐ状態となる。
【００４６】
第二シール７は、金属板製の環状の芯金２１と、芯金２１に一体に固着される弾性体２２とを有する。芯金２１は、径方向外側に位置する円筒部２１ａと、円筒部２１ａから径方向内向きに延びる円板部２１ｂが一体に形成されたものである。
【００４７】
弾性体２２は、芯金２１の円板部２１ｂの径方向中間部の外側面と円板部２１ｂの径方向内端部を覆うように設けられる。第二シール７は、弾性体２２の内周部分にリップ部２３が形成される。
【００４８】
第二シール７は、芯金２１の円筒部２１ａが、それぞれの保持器１３、１３の外側環状部１５の内周部での第二シール装着部１７に圧入固定される。この圧入固定により、第二シール７は、第二シール装着部１７にそれぞれ保持され、リップ部２３が内輪３の外周部での第二シール溝部１２に摺接する状態となる。
【００４９】
第二シール装着部１７に保持される第二シール７は、保持器１３の外側環状部１５と内輪３の外周部との間の軸方向両側を塞ぐ状態となる。
【００５０】
第一の実施形態に係る自動調心ころ軸受１は、以上のように構成されている。この自動調心ころ軸受１においては、保持器１３、１３のそれぞれが、内側環状部１４が相互に対向する状態で、外輪２と内輪３との間に組み込まれている。その組み込み状態で、外側環状部１５の内周部が内輪３のつば１１、１１で案内されるようになっている。
【００５１】
また、自動調心ころ軸受１は、第一シール６により、外輪２と保持器１３の外側環状部１５との間の軸方向両側が塞がれる状態となり、第二シール７により、保持器１３の外側環状部１５と内輪３の外周部との間の軸方向両側が塞がれる状態となっている。
【００５２】
自動調心ころ軸受１においては、例えば、内輪３が回転し、外輪２が静止している場合、複列の球面ころ４は、外輪２の球面軌道５と内輪３の複列の軌道１０、１０との間で転動し、内輪３の回転方向へ公転する。この球面ころ４の公転速度は、内輪３の回転速度よりも小さくなる。
【００５３】
公転する複列の球面ころ４、４を保持するそれぞれの保持器１３、１３は、内輪３の回転速度よりも小さい回転速度で内輪３と同方向へ回転する。
【００５４】
この保持器１３は、外側環状部１５の径方向外側の表面１５ａに第一シール６のリップ部２０が摺接している。このため、シールが外輪の内周部と内輪の外周部との間に保持される場合と比較して、第一シール６は、リップ部２０の摩耗を抑制することができる。
【００５５】
また、内輪３は、保持器１３に対して、内輪３の回転速度と保持器１３の回転速度との回転速度差で相対回転する。ここで、第二シール７は、保持器１３の外側環状部１５の第二シール装着部１７に保持され、リップ部２３が内輪３の外周部の第二シール溝部１２に摺接している。
【００５６】
このため、第二シール７は、内輪の回転速度と保持器１３の回転速度との回転速度差で回転し、そのリップ部２３が内輪３の外周部の第二シール溝部１２に摺接するものとなる。これにより、シールが外輪の内周部と内輪の外周部との間に保持される場合と比較して、第二シール７のリップ部２３の摩耗を抑制することができる。
【００５７】
また、自動調心ころ軸受１は、軸受空間内に封入されるグリースが、内輪３の回転に伴い、遠心力によって外輪２の内周部に飛ばされることがある。
【００５８】
ここで、第一シール６は、弾性体１９からなる外周部が外輪２の内周部の軸方向両側の第一シール装着部８に圧入される状態で保持されている。この第一シール６の外周部により、外輪２の内周部に飛ばされるグリースの外部への漏出が防止される。
【００５９】
さらに、保持器１３は、外側環状部１５の外周部の表面１５ａが、軸方向外側に向かって径方向内向きに傾斜するテーパ状となっている。これにより、外輪２の中心軸と内輪３の中心軸との間に角ミスアライメントが生じた際、第一シール６のリップ部２０と、保持器１３の外側環状部１５の外周部との摺接圧の変化を抑えることができる。
【００６０】
なお、図３に示すように、保持器１３としては、外側環状部１５の外周部の表面１５ａが、軸受中心を中心とした曲率半径を有し、径方向外向きに突出する断面円弧状となるものであってもよい。
【００６１】
この場合では、外輪２の中心軸と内輪３の中心軸との間に角ミスアライメントが生じた際、第一シールのリップ部と保持器の外側環状部の外周部との摺接圧が変化しない。
【００６２】
次に、この発明の第二の実施形態に係る自動調心ころ軸受を図４に基づいて説明する。この実施形態の自動調心ころ軸受１は、第二シール７の外周部に弾性体２２からなるリップ部２３が形成され、この第二シール７が保持器１３と内輪３の外周部との間の軸方向両側を塞ぐようにした点で、上述の第一の実施形態と相違する。その他の構成において、第一の実施形態のものと同じ構成と考えられるものは、同じ符号を付してその説明を省略する。
【００６３】
この実施形態での内輪３の外周部は、つば１１の軸方向外端部に形成される第二シール装着部２４を有する。第二シール装着部２４は、つば１１の外周部から径方向内向きに凹む段差状に形成されており、その内周面が円筒面である。
【００６４】
それぞれの保持器１３、１３の外側環状部１５は、内周部の軸方向外端部に形成される第二シール溝部２５を有する。第二シール溝部２５は、外側環状部１５の内周部から径方向外向きに凹む段差状に形成されており、その外周面が円筒面である。
【００６５】
第二シール７は、金属板製の芯金２１の円筒部２１ａが径方向内側に位置し、弾性体２２が円板部２１ｂの径方向中間部の外側面と円板部２１ｂの径方向外端部を覆うように設けられたものである。また、第二シール７は、弾性体２２の外周部分にリップ部２３が形成される。
【００６６】
第二シール７は、芯金２１の円筒部２１ａが、内輪３のつば１１の軸方向両側外端部での第二シール装着部２４に圧入固定される。この圧入固定により、第二シール７は、第二シール装着部２４にそれぞれ保持され、リップ部２３がそれぞれの保持器１３、１３の外側環状部に形成される第二シール溝部２５の内周部に摺接する状態となる。
【００６７】
第二シール装着部２４に保持される第二シール７は、保持器１３の外側環状部１５と内輪３の外周部との間の軸方向両側を塞ぐ状態となる。
【００６８】
第二の実施形態の自動調心ころ軸受１は、上述のように、例えば、内輪３が回転し、外輪２が静止する場合、内輪３は、保持器１３に対して、内輪３の回転速度と保持器１３の回転速度との回転速度差で相対回転する。
【００６９】
ここで、第二シール７は、内輪３の外周部の第二シール装着部２４に保持され、リップ部２３が保持器１３の外側環状部１５の第二シール溝部２５に摺接している。
【００７０】
このため、第二シール７は、内輪３の回転速度と保持器１３の回転速度との回転速度差で回転し、そのリップ部２３が保持器１３の外側環状部１５の第二シール溝部２５に摺接するものとなる。
【００７１】
これにより、シールが外輪の内周部と内輪の外周部との間に保持される場合と比較して、第二シール７のリップ部２３の摩耗を抑制することができる。
【符号の説明】
【００７２】
１  自動調心ころ軸受
２  外輪
３  内輪
４  球面ころ
５  球面軌道
６  第一シール
７  第二シール
８  第一シール装着部
９  給油孔
１０  軌道
１１  つば
１２、２５  第二シール溝部
１３  保持器
１４  内側環状部
１５  外側環状部
１５ａ  表面
１６  柱部
１７、２４  第二シール装着部
１８、２１  芯金
１９、２２  弾性体
２０、２３  リップ部
２１ａ  円筒部
２１ｂ  円板部
３０  外輪
３１  球面軌道
３２  内輪
３３  球面軌道
３４  球面ころ
３５  かご形保持器
３６  環状部
４０  シール
４１  芯金
４２  弾性体
４３  外リップ
４４  内リップ
４５  ねじ
【図１】
2019184019.tif 000003
【図２】
2019184019.tif 000004
【図３】
2019184019.tif 000005
【図４】
2019184019.tif 000006
【図５】
2019184019.tif 000007
【図６】
2019184019.tif 000008